(57)【要約】      （修正有）【課題】内部に貯留される流動性薬剤が外部に漏出することを防止する薬剤注入器具を提供する。【解決手段】体内に流動性薬剤を注入する薬剤注入器具であって、長尺状の挿入部を備え、挿入部は長尺状の貯留容器３と、貯留容器の先端部及び先端部に連なる側面部領域を被覆する長尺状のアウター部材４とを備え、貯留容器の先端部には、貯留部内に貯留される流動性薬剤が流出可能な流出孔８が形成されており、貯留容器とアウター部材との間には流出孔から流出した流動性薬剤が流入可能な所定間隔の空隙部１２が形成され、貯留容器とアウター部材とは挿入部の長手方向に沿って相対移動可能に構成されており、アウター部材は空隙部と外部とを連通する薬剤吐出孔１３と、薬剤漏出防止部１６とを備えており、貯留容器の先端部とアウター部材の先端部とが近接した第１状態において、薬剤漏出防止部が貯留容器の先端部に設けられる流出孔を閉塞する。【選択図】図５
2020103801.tif 000002
【特許請求の範囲】
【請求項１】
体内に流動性薬剤を注入する薬剤注入器具であって、
先端部側から体内に挿入される長尺状の挿入部と、
前記挿入部の内部に形成され、流動性薬剤が貯留される貯留部と、
前記挿入部の他方端部に形成され前記貯留部と連通する開口部と、
前記開口部を介して前記貯留部内に挿入され、流動性薬剤を前記挿入部の先端部側に押し出すピストンとを備えており、
前記挿入部は、前記貯留部を内部に備える長尺状の貯留容器と、前記貯留容器の先端部及び該先端部に連なる側面部領域を被覆する長尺状のアウター部材とを備えており、
前記貯留容器の先端部には、前記貯留部内に貯留される流動性薬剤が流出可能な流出孔が形成されており、
前記貯留容器と前記アウター部材との間には、前記流出孔から流出した流動性薬剤が流入可能な所定間隔の空隙部が形成され、前記貯留容器と前記アウター部材とは、前記挿入部の長手方向に沿って相対移動可能に構成されており、
前記アウター部材は、前記空隙部と外部とを連通する薬剤吐出孔と、薬剤漏出防止部とを備えており、
前記貯留容器の先端部と前記アウター部材の先端部とが近接した第１状態において、前記薬剤漏出防止部が、前記貯留容器の先端部に設けられる流出孔を閉塞することを特徴とする薬剤注入器具。
【請求項２】
前記薬剤漏出防止部は、前記アウター部材の先端部内面に設けられていることを特徴とする請求項１に記載の薬剤注入器具。
【請求項３】
前記薬剤漏出防止部は、前記貯留容器の先端部側に向けて突出する突出端部を備えており、
前記第１状態において、前記突出端部が、前記流出孔の開口内に挿入されることにより、前記流出孔が閉塞されることを特徴とする請求項１又は２に記載の薬剤注入器具。
【請求項４】
前記貯留容器の外周面には、雄ネジ部が形成されており、前記アウター部材の内周面には、前記雄ネジ部に螺合する雌ネジ部が形成されており、前記貯留容器に対して前記アウター部材を回転させることにより、前記貯留容器と前記アウター部材とは、前記挿入部の長手方向に沿って相対移動することを特徴とする請求項１から３のいずれかに記載の薬剤注入器具。
【請求項５】
前記挿入部の長手方向に沿った前記貯留容器と前記アウター部材との相対移動によって、前記薬剤漏出防止部による前記流出孔に対する閉塞が解除された第２状態において、前記貯留容器に対する前記アウター部材の相対移動を規制する規制手段を備えることを特徴とする請求項１から４のいずれかに記載の薬剤注入器具。
【請求項６】
前記規制手段は、前記アウター部材に形成されたアウター係合部と、前記貯留容器の外表面に設けられる容器嵌合部とにより構成されることを特徴とする請求項５に記載の薬剤注入器具。
【発明の詳細な説明】
【技術分野】
【０００１】
本発明は、薬剤注入器具、特に、流動性薬剤を体内に注入する薬剤注入器具に関する。
【背景技術】
【０００２】
最近、様々な目的で人体内に多様な流動性薬剤を注入することが多い。たとえば、女性の性器を洗浄するための洗浄液を性器内に投与したり、避妊のための避妊薬液、痔疾・性病などの治療のための薬液を投与したりするなど、その活用態様は非常に多岐にわたる。
【０００３】
人体の性器および肛門などの内側は粘膜が露出する部分であることから、外部の刺激に非常に敏感であるので、粘膜が損傷あるいは汚染しやすい。よって、上記のような様々な流動性薬剤を投与するためには、細心の注意を払う必要がある。
【０００４】
従来、上記のような流動性薬剤を手作業で直接投与する不便を改善するために、人体内に流動性薬剤を投与可能な薬剤注入器具が考案されている。このような薬剤注入器具としては、例えば、特許文献１に開示されているように、先端に薬剤吐出孔が形成されたプラスチックシリンダーを備えると共に当該シリンダー内に設けた押し込み棒（ピストン）を、シリンダー先端に向かって押し込む形式を採用しており、シリンダーの先端に設けられた薬剤吐出孔から、流動性薬剤を流出させるようにしたものである。
【先行技術文献】
【特許文献】
【０００５】
【特許文献１】特開２０１４−００４３０９号公報
【発明の概要】
【発明が解決しようとする課題】
【０００６】
上述のように、従来から知られている薬剤注入器具は、シリンダーの内部に流動性薬剤が貯留されるものであるため、例えば、市場での流通過程において、或いは、使用者が自宅等で保管している際に、内部に貯留される流動性薬剤が漏れ出てしまうことが懸念される。
【０００７】
本発明は、かかる問題を解決すべくなされたものであって、内部に貯留される流動性薬剤が外部に漏出することを効果的に防止することができる薬剤注入器具を提供することを目的とする。
【課題を解決するための手段】
【０００８】
本発明の上記目的は、体内に流動性薬剤を注入する薬剤注入器具であって、先端部側から体内に挿入される長尺状の挿入部と、前記挿入部の内部に形成され、流動性薬剤が貯留される貯留部と、前記挿入部の他方端部に形成され前記貯留部と連通する開口部と、記開口部を介して前記貯留部内に挿入され、流動性薬剤を前記挿入部の先端部側に押し出すピストンとを備えており、前記挿入部は、前記貯留部を内部に備える長尺状の貯留容器と、前記貯留容器の先端部及び該先端部に連なる側面部領域を被覆する長尺状のアウター部材とを備えており、前記貯留容器の先端部には、前記貯留部内に貯留される流動性薬剤が流出可能な流出孔が形成されており、前記貯留容器と前記アウター部材との間には、前記流出孔から流出した流動性薬剤が流入可能な所定間隔の空隙部が形成され、前記貯留容器と前記アウター部材とは、前記挿入部の長手方向に沿って相対移動可能に構成されており、前記アウター部材は、前記空隙部と外部とを連通する薬剤吐出孔と、薬剤漏出防止部とを備えており、前記貯留容器の先端部と前記アウター部材の先端部とが近接した第１状態において、前記薬剤漏出防止部が、前記貯留容器の先端部に設けられる流出孔を閉塞することを特徴とする薬剤注入器具より達成される。
【０００９】
この薬剤注入器具において、前記薬剤漏出防止部は、前記アウター部材の先端部内面に設けられるように構成することができる。
【００１０】
また、前記薬剤漏出防止部は、前記貯留容器の先端部側に向けて突出する突出端部を備えており、前記第１状態において、前記突出端部が、前記流出孔の開口内に挿入されることにより、前記流出孔が閉塞されるように構成してもよい。
【００１１】
また、前記貯留容器の外周面には、雄ネジ部が形成されており、前記アウター部材の内周面には、前記雄ネジ部に螺合する雌ネジ部が形成されており、前記貯留容器に対して前記アウター部材を回転させることにより、前記貯留容器と前記アウター部材とは、前記挿入部の長手方向に沿って相対移動するように構成してもよい。
【００１２】
また、前記挿入部の長手方向に沿った前記貯留容器と前記アウター部材との相対移動によって、前記薬剤漏出防止部による前記流出孔に対する閉塞が解除された第２状態において、前記貯留容器に対する前記アウター部材の相対移動を規制する規制手段を備えるように構成してもよい。
【００１３】
前記規制手段は、前記アウター部材に形成されたアウター係合部と、前記貯留容器の外表面に設けられる容器嵌合部とにより構成することができる。
【発明の効果】
【００１４】
本発明によれば、内部に貯留される流動性薬剤が外部に漏出することを効果的に防止することができる薬剤注入器具を提供することができる。
【図面の簡単な説明】
【００１５】
【図１】本発明に係る薬剤注入器具の概略斜視図である。
【図２】本発明に係る薬剤注入器具の長手軸に沿った断面を示す概略構成断面図である。
【図３】図２の矢視Ａ方向から見た薬剤注入器具の側面図である。
【図４】本発明に係る薬剤注入器具の底面図である。
【図５】（ａ）（ｂ）共に、本発明に係る薬剤注入器具の作用を説明するための要部拡大断面図である。
【図６】（ａ）は、本発明に係る薬剤注入器具が備える貯留容器の要部拡大側面図であり、（ｂ）は、アウター部材の要部拡大断面図である。
【図７】本発明に係る薬剤注入器具の作用を説明するための要部拡大断面図である。
【発明を実施するための形態】
【００１６】
以下、本発明に係る薬剤注入器具について添付図面を参照して説明する。図１は、本発明に係る薬剤注入器具１００の概略構成斜視図であり、図２は、薬剤注入器具１００の長手軸に沿った断面を示す概略構成断面図である。図３は、図２の矢視Ａ方向から見た側面図である。なお、各図は、構成の理解を容易ならしめるために部分的に拡大・縮小している。
【００１７】
本発明に係る薬剤注入器具１００は、例えば、膣や肛門等の体腔内（体内）に流動性薬剤を注入するための器具である。流動性薬剤としては、多種多様な薬剤を用いることができるが、例えば、洗浄剤、避妊剤、麻酔剤、浣腸剤、解熱剤、潤滑剤等を挙げることができる。また、流動性薬剤の形態としては、ローション状、ジェル状、ゼリー状等種々の形態を採用することができる。
【００１８】
この薬剤注入器具１００は、図１や図２に示すように、挿入部１と、ピストン２とを備えるシリンジタイプの注入器具として構成されている。挿入部１は、その先端部側１ａから人体の膣や肛門といった体腔内（体内）に挿入されるものであり、体内への挿入方向に沿って伸びる長尺状に形成されている。この挿入部１は、貯留容器３と、アウター部材４とを備える二重構造を有している。ここで、挿入部１を構成する貯留容器３及びアウター部材４、並びに、ピストン２は、プラスチック樹脂原料から形成されることが好ましい。
【００１９】
貯留容器３は、流動性薬剤が貯留される貯留部５を内部に有する長尺状の容器であり、断面視円形の筒状の長尺な胴部６と、指掛け部７とを備えている。当該貯留容器３（胴部６）の先端部には、貯留部５内に貯留される流動性薬剤が流出可能な流出孔８が形成されている。また、貯留容器３は、内部に形成される貯留部５と連通する開口部９を基端部側（指掛け部７が設けられる側）に備えている。なお、貯留容器３の基端部側とは、体内に挿入される挿入部１（貯留容器３）の先端部側１ａとは反対側の端部側を意味し、開口部９は、挿入部１の他方端部１ｂに形成されている。この貯留容器３には、開口部９を介して貯留部５内に挿入されるピストン２が接続される。このピストン２を挿入部１の他方端側１ｂから先端部側１ａに押し込むことにより、貯留部５に貯留されている流動性薬剤を流出孔８側（挿入部１の先端部側１ａ）に押し出すことが可能となる。
【００２０】
また、貯留容器３が有する指掛け部７は、貯留容器３の基端部側において、先端部側から基端部側に向かうに従い、拡径するテーパ状に形成されている。なお、このテーパ状の指掛け部７は、貯留容器３（挿入部１）の長手方向に対して垂直な断面形状が楕円形となるように形成されている。また、テーパ部の端面（貯留容器３の基端部端面）には、凹部１０が形成されており、当該凹部１０にピストン２の後端部１１が収納できるように構成されている。凹部１０の深さは、ピストン２の後端部１１が完全に収納できる程度の深さに形成することが好ましい。また、この凹部１０の開口縁の形状は、図４の底面図に示すように、楕円形を有している。
【００２１】
また、アウター部材４は、長尺状の貯留容器３の先端部及び該先端部に連なる側面部領域を被覆する長尺状の筒状部材である。このアウター部材４の長さとしては、例えば、本薬剤注入器具１００を膣内の洗浄用として構成する場合には、５０ｍｍ〜１００ｍｍの範囲に設定することが好ましい。アウター部材４の先端部は、体内への挿入時に使用者に痛みを感じさせないように、滑らかな曲面を有するドーム状に形成されている。なお、ドーム状のアウター部材４の先端部により、筒状部材の一方端は閉塞されている。貯留容器３の外周面とアウター部材４の内周面との間には、流出孔８から流出した流動性薬剤が流入可能な所定間隔の空隙部１２が形成されている。この空隙部１２は、貯留容器３の先端部に形成された流出孔８を介して貯留部５から押し出された流動性薬剤が導かれる薬剤流路部を構成する。この空隙部１２（薬剤流路部）は、挿入部１の内部において、該挿入部１の長手方向に沿って、貯留容器３の周面の一部分を囲繞するようにして形成されている。本実施形態においては、図２にてＳで示す領域、つまり、挿入部１の長手方向にみて、当該挿入部１の先端部から中央部分までの領域に空隙部１２が形成されるように構成されている。より具体的には、例えば、本薬剤注入器具１００を膣内の洗浄用として構成する場合には、挿入部１の長手方向に沿って、その先端部からの寸法が、３０ｍｍ〜６０ｍｍ程度の範囲までの領域に空隙部１２（薬剤流路部）を形成することが好ましい。
【００２２】
また、アウター部材４は、空隙部１２（薬剤流路部）と外部とを連通する薬剤吐出孔１３を複数備えている。つまり、挿入部１の側面部が、薬剤流路部に連通する複数の薬剤吐出孔１３を備えるように構成されている。このような薬剤吐出孔１３を備えることにより、ピストン２の押し込み動作に伴って、貯留部５に貯留されている流動性薬剤が、流出孔８、空隙部１２（薬剤流路部）、薬剤吐出孔１３を介して、挿入部１の外側に導かれることとなる。なお、薬剤吐出孔１３が配置される範囲は、挿入部１の長手方向にみて、当該アウター部材４の先端部から中央部分までの領域に設定することが好ましい。より具体的には、例えば、本薬剤注入器具１００を膣内の洗浄用として構成する場合には、挿入部１の長手方向に沿って、アウター部材４の先端部からの寸法が、３０ｍｍ〜６０ｍｍ程度の範囲までの領域に複数の薬剤吐出孔１３を形成することが好ましい。
【００２３】
各薬剤吐出孔１３は、前記挿入部１の長手方向に沿って、所定間隔あけて配置されている。このように、挿入部１の側面部に薬剤吐出孔１３を複数設けることにより、膣や肛門といった体腔の内側の広い範囲に薬剤を迅速に塗布することが可能となる。また、体内への流動性薬剤の注入を完了し、挿入部１を体内から抜き出す際に、この抜き出される挿入部１の表面によって、体内に吐出された流動性薬剤をぬり拡げることが可能となり、膣や肛門といった体腔の内側のより広い範囲に薬剤を迅速に塗布することが可能となる。また、抜き出される挿入部１の表面は、流動性薬剤が付着して湿潤な状態となるため、挿入部１を体内から抜き出す際の使用者に与える痛みを緩和させることができる。
【００２４】
また、本実施形態においては、複数の薬剤吐出孔１３は、挿入部１の表面において想定される該挿入部１の長手方向に沿う第１仮想ライン上に所定間隔をあけて配置される複数の薬剤吐出孔１３からなる第１吐出孔群１４と、第１仮想ラインとは異なり、挿入部１の表面において想定される挿入部１の長手方向に沿う第２仮想ライン上に所定間隔をあけて配置される複数の薬剤吐出孔１３からなる第２吐出孔群１５とを備えるように構成されている。このような薬剤吐出孔１３の位置関係を構成することにより、膣や肛門といった体腔の内側の広い範囲に効果的にかつ迅速に薬剤を塗布することが可能となる。
【００２５】
また、第１吐出孔群１４における各薬剤吐出孔１３と、第２吐出孔群１５における各薬剤吐出孔１３とは、貯留部５を挟んだ両側にそれぞれ形成されることが好ましい。ここで、本実施形態においては、空隙部１２（薬剤流路部）は、貯留部５の周囲を囲繞して設けられるものであることから、第１吐出孔群１４における各薬剤吐出孔１３と、第２吐出孔群１５における各薬剤吐出孔１３とは、空隙部１２（薬剤流路部）を挟んだ両側にそれぞれ形成されることになる。このような構成を採用することにより、より一層広い範囲で薬剤を膣や肛門といった体腔の内側に塗布することが可能となる。
【００２６】
また、図２に示すように、第１吐出孔群１４における各薬剤吐出孔１３と、第２吐出孔群１５における各薬剤吐出孔１３とは、挿入部１の長手方向に沿って互い違いの位置関係となるように配置されていることが好ましい。このような構成も、膣や肛門といった体腔の内側のより一層広い範囲での薬剤の塗布に寄与する。
【００２７】
また、本実施形態においては、各薬剤吐出孔１３の孔径が同一寸法となるように構成しているが、例えば、空隙部１２（薬剤流路部）を流通する流動性薬剤の流下方向に向かうに従い、各薬剤吐出孔１３の孔径が段階的に大きくなるように構成してもよい。このような構成を採用する場合、本実施形態においては、挿入部１の先端部側から他方端側に向かって流動性薬剤が空隙部１２（薬剤流路部）を流下しつつ、各薬剤吐出孔１３から吐出される構成であるため、薬剤吐出孔１３ａ、薬剤吐出孔１３ｂ、薬剤吐出孔１３ｃ、薬剤吐出孔１３ｄの順に、その孔径が徐々に大きくなるように構成する。全ての薬剤吐出孔１３の孔径を同一に構成した場合、圧力損失の影響により、空隙部１２（薬剤流路部）の下流側に配置される薬剤吐出孔１３ｄから流動性薬剤が吐出されにくくなるおそれがあるが、上述のように、空隙部１２（薬剤流路部）を流通する流動性薬剤の流下方向に向かうに従い、各薬剤吐出孔１３の孔径が段階的に大きくなるように構成することにより、各薬剤吐出孔１３から吐出される流動性薬剤の量を均等に維持させることが可能となり、膣や肛門といった体腔の内側の広い範囲に亘って、流動性薬剤を均等に塗布することが可能となる。
【００２８】
ここで、貯留容器３とアウター部材４とは、図５の要部拡大断面図に示すように、挿入部１の長手方向に沿って相対移動可能に構成されており、貯留容器３の先端部とアウター部材４の先端部とが近接した第１状態から、貯留容器３の先端部とアウター部材４の先端部とが互いに離間した第２状態に移行できるように構成されている。図５（ａ）は第１状態を示しており、図５（ｂ）は第２状態を示している。なお、上述の図２は、第１状態を示している。また、アウター部材４は、貯留容器３の先端部とアウター部材４の先端部とが近接した第１状態において、貯留容器３の先端部に設けられる流出孔８を閉塞する薬剤漏出防止部１６を備えるように構成されている。この薬剤漏出防止部１６は、上記第２状態、すなわち、貯留容器３の先端部とアウター部材４の先端部とが互いに所定間隔離間した状態において、貯留容器３の先端部に設けられる流出孔８に対する閉塞状態を解除するように構成されている。この流出孔８に対する閉塞状態の解除により、貯留部５と空隙部１２（薬剤流路部）とは、流出孔８を介して連通する状態となる。
【００２９】
薬剤漏出防止部１６は、アウター部材４の先端部内面に設けられている。本実施形態においては、薬剤漏出防止部１６は、貯留容器３の先端部側に向けて突出する突出端部１７を備えており、上記第１状態において、突出端部１７が、流出孔８の開口内に挿入されることにより、流出孔８が閉塞されるように構成されている。突出端部１７の外周面は、流出孔８の内周面に摺接するように構成されている。通常、流出孔８の開口縁は、円形状に形成されるので、突出端部１７は、その外周面が流出孔８の開口縁に密接する断面視円形の中実棒状体、或いは、筒状体として構成することが好ましい。本実施形態においては、筒状体として突出端部１７を形成し、ピストン２の先端部を内側に収容可能に構成されている。
【００３０】
このような薬剤漏出防止部１６を設けることにより、例えば、薬剤注入器具１００を市場に流通させる段階において貯留容器３とアウター部材４との位置関係を第１状態とすることで、流通過程において、貯留部５内の流動性薬剤が挿入部１の外に漏れ出ることを効果的に防止することができる。一方、薬剤注入器具１００が使用者の手に渡り、当該使用者が実際に使用する段階で、使用者の操作によって、貯留容器３とアウター部材４との位置関係を第２状態に変位させることができ、これにより、使用者は、薬剤注入器具１００が未使用なものであり、また、流動性薬剤が外気に接触していない清浄なものであると認識することができ、使用に際しての安心感を得ることが可能となる。
【００３１】
また、挿入部１の長手方向に沿って、貯留容器３とアウター部材４との相対移動を可能にする具体的構造としては、例えば、図６（ａ）の貯留容器３の要部拡大側面図、及び、図６（ｂ）のアウター部材４の要部拡大断面図に示すように、貯留容器３の外周面に雄ネジ部１８を形成すると共に、アウター部材４の内周面に当該雄ネジ部１８に螺合する雌ネジ部１９を形成することにより可能となる。なお、図６（ａ）（ｂ）は、図２においてＴで示す領域部分に対応する。このような構造により、貯留容器３に対してアウター部材４を、例えば、１８０度回転させることにより、貯留容器３とアウター部材４とは、挿入部１の長手方向に沿って相対移動し、上述の第１状態、及び、第２状態となるように、貯留容器３とアウター部材４との位置関係を変更することが可能となる。
【００３２】
また、本実施形態においては、挿入部１の長手方向に沿った貯留容器３とアウター部材４との相対移動によって、薬剤漏出防止部１６による流出孔８に対する閉塞が解除された第２状態において、貯留容器３に対するアウター部材４の相対移動を規制する規制手段２０を備えるように構成されている。このような規制手段２０を備えることにより、アウター部材４が貯留容器３から離脱することを効果的に防止することができる。また、貯留容器３とアウター部材４との位置関係を、使用可能状態である第２状態から第１状態（使用不可能な状態）に戻ることを効果的に防止することも可能となり、使用者が、誤って使用済みの薬剤注入器具１００を再使用・再利用してしまうことを効果的に防止することができる。
【００３３】
この規制手段２０としては、種々の構成を採用することができるが、例えば、アウター部材４に形成されたアウター係合部と、貯留容器３の外表面に設けられる容器嵌合部とを備えるように構成されている。より具体的には、本実施形態においては、アウター係合部は、アウター部材４に形成された貫通孔として構成されており、容器嵌合部は、貯留容器３の外表面から突出する突起体として構成されている。貯留容器３とアウター部材４との位置関係が第１状態にあるときは、突起体として構成される容器嵌合部は、アウター部材４の内周面に当接した状態であるが、第２状態となった際に、突起状の容器嵌合部が、アウター部材４の形成される貫通孔としてのアウター係合部に嵌合し、アウター部材４の貯留容器３に対する回転（相対移動）が規制される。なお、アウター部材４や貯留容器３は、比較的硬質なプラスチック材料によって形成されているが、両者とも筒状体として構成されることから、僅かに弾性変形するものであるため、第１状態から第２状態に推移するまでの間、上記突起体として構成される容器嵌合部が、アウター部材４の貯留容器３に対する回転の妨げにはならない。また、貯留容器３の表面に凹所を形成すると共に、この凹所の縁に連接される板バネ構造体を備えると共に、この板バネ構造体に突起体を形成することにより、アウター部材４の内周面に突起体が接する状態（第１状態）において当該突起体が凹所内に収容されるような構造として規制手段２０を構成してもよい。
【００３４】
なお、上記例においては、アウター係合部を、アウター部材４の形成された貫通孔として構成しているが、必ずしも貫通する必要はなく、アウター係合部を、アウター部材４の内周面に形成される窪み部として構成してもよい。また、上記実施形態においては、アウター係合部を、アウター部材４の形成された貫通孔として構成し、容器嵌合部を、貯留容器３の外表面から突出する突起体として構成しているが、このような構成に特に限定されず、例えば、アウター係合部を、アウター部材４の内周面から突出する突起体として構成し、容器嵌合部を、貯留容器３の外表面に形成される窪み部として構成し、突起体であるアウター係合部を、窪み部である容器嵌合部に嵌り込ませることにより、第２状態に移行した際に、貯留容器３に対するアウター部材４の相対移動を規制するように構成してもよい。
【００３５】
また、本実施形態においては、ピストン２の後端部１１は、挿入部１の他方端部に形成される凹部１０内（貯留容器３の基端部端面に形成される凹部１０内）に不可逆的に収納可能に形成されている。このような構成により、図７の要部拡大断面図に示すように、ピストン２の後端部１１が凹部１０内に収納され、薬剤注入器具１００に貯留される流動性薬剤の吐出を完了した後は、ピストン２を抜き出すことを困難な状態とすることができる。これにより、薬剤注入器具１００の再使用や再利用を効果的に防止することが可能となる。また、ピストン２の戻り（押出方向とは逆向きの移動）を防止することができるため、ピストン２の戻りによって貯留部５内が負圧になり体内に注入された流動性薬剤が、薬剤吐出孔１３を介して挿入部１内部に逆流することを効果的に防止することが可能となる。
【００３６】
ここで、ピストン２の後端部１１が、挿入部１の他方端部側１ｂに形成される凹部１０内に不可逆的に収納する具体的構成については、例えば、図７の要部拡大断面図に示すように、凹部１０が、その内周面から凹部１０内側に向けて突出する係合突起２１を備えるように構成し、かつ、ピストン２の後端部１１が、当該係合突起２１と嵌合するピストン嵌合部２２を備える構成を挙げることができる。本実施形態においては、係合突起２１を、凹部１０の開口縁近傍の内周面から凹部１０内側に向けて隆起するドーム状に形成している。また、ピストン嵌合部２２は、ピストン２の後端部１１の周縁に形成されており、後端部１１の外方に突出する爪部２３を備えている。この爪部２３は、ピストン２の後端部１１の周縁全周に亘って形成されている。なお、ピストン２の後端部１１が凹部１０内に進入していく際、ピストン２の後端部１１に形成されるピストン嵌合部２２が、凹部１０の開口縁２６を僅かに拡径させる方向に指掛け部７を変形させながら、係合突起２１を乗り越える。ピストン嵌合部２２が係合突起２１を乗り越えた後は、僅かに拡径変形した凹部１０の開口縁２６が弾性復元して元の形状に戻るため、ピストン嵌合部２２は、係合突起２１を逆向きに乗り越えることができなくなる。
【００３７】
このようにピストン嵌合部２２と係合突起２１との嵌合によって、ピストン２の後端部１１が、挿入部１の他方端部に形成される凹部１０内に不可逆的に収納するように構成することにより、上述の薬剤注入器具１００の再使用防止や流動性薬剤の逆流防止の効果に加えて、使用者に、ピストン２の押し込み量の最終位置を明確に知らせることが可能になる。具体的に説明すると、ピストン嵌合部２２と係合突起２１との嵌合時に音が発生することにより、この音を頼りに、ピストン２の押し込み量に関し、これ以上は押し込まなくていいことを知らせることができる。また、ピストン嵌合部２２と係合突起２１との嵌合時の振動が直接的に手指に伝わるため、仮に、上記音が聞こえなかったとしても、この手指の振動を介して、ピストン２の押し込み量の最終位置を知らせることが可能になる。
【００３８】
また、上記ピストン嵌合部２２は、図７に示すように、該ピストン嵌合部２２に嵌合する係合突起２１に対する案内を行う傾斜面２４を備えるように構成することが好ましい。この傾斜面２４は、ピストン嵌合部２２の先端爪部２３よりもピストン２の先端側に形成されている。このような傾斜面２４を備えることにより、スムーズにピストン２の後端部１１を凹部１０内に進入させることが可能となる。
【００３９】
また、ピストン２の後端部１１の後端面２５と、凹部１０の開口縁２６とは面一となるようしてピストン２の後端部１１が凹部１０に収納可能に構成されることが好ましい。このような構成を採用することにより、使用者に、ピストン２の押し込み量の最終位置をより一層明確に知らせることが可能になる。つまり、ピストン２の後端部１１を押圧して流動性薬剤の注入を進めていく際に、凹部１０の開口縁２６とピストン２の後端部１１とが面一になった状態を手指の腹側の感覚で認知させることができ、使用者にこれ以上ピストン２を押圧する必要が無いことを知らせることが可能となる。また、ピストン２の後端部１１の後端面２５と凹部１０の開口縁２６とが面一となるようにして、ピストン２の後端部１１が凹部１０に収納できるように構成することにより、何らかの外力がピストン２の後端部１１に作用し、ピストン２の後端部１１と凹部１０との嵌合状態が解除されることを効果的に防止することができ、薬剤注入器具１００の再使用や再利用を効果的に抑制することができる。
【００４０】
また、上記係合突起２１の設置位置は、図４の底面図を参照して、楕円形の凹部１０の短軸に対応する位置とすることが好ましい。また、ピストン嵌合部２２と係合突起２１との嵌合構造の組み合わせ個数は特に限定されず、一組の組み合わせを備えるように構成してもよく、或いは、２組以上の組み合わせを備えるように構成してもよい。
【００４１】
また、上記実施形態においては、凹部１０の開口縁２６の形状は、図４の底面図に示すように、楕円形を有するように構成しているが、このような構成に特に限定されず、円形となるように構成してもよい。また、ピストン２の後端部１１の輪郭についても、上記実施形態においては、図４に示すように、円形となるように構成しているが、このような構成に特に限定されず、凹部１０の開口縁２６の形状と同様な楕円形に形成してもよい。
【００４２】
また、上記実施形態においては、貯留容器３及びアウター部材４共に、それらの長手方向に亘って、断面視円形の筒状部分を備えるように構成されているが、このような構成に特に限定されず、例えば、長手方向に亘って、断面視楕円形の筒状部分を備えるように構成してもよい。
【符号の説明】
【００４３】
１００  薬剤注入器具
１  挿入部
２  ピストン
３  貯留容器
４  アウター部材
５  貯留部
６  胴部
７  指掛け部
８  流出孔
９  開口部
１０  凹部
１１  ピストンの後端部
１２  空隙部（薬剤流路部）
１３  薬剤吐出孔
１４  第１吐出孔群
１５  第２吐出孔群
１６  薬剤漏出防止部
１７  突出端部
１８  貯留容器の外周面に形成される雄ネジ部
１９  アウター部材の内周面に形成される雌ネジ部
２０  規制手段
２１  係合突起
２２  ピストン嵌合部
２３  爪部
２４  傾斜面
２５  ピストン後端部の後端面
２６  凹部の開口縁
【図１】
2020103801.tif 000003
【図２】
2020103801.tif 000004
【図３】
2020103801.tif 000005
【図４】
2020103801.tif 000006
【図５】
2020103801.tif 000007
【図６】
2020103801.tif 000008
【図７】
2020103801.tif 000009